(57)【要約】【課題】無駄の多い従来のタック紙の構造及び製造方法を見直し、無駄のない新型タック紙を提供すること。【解決手段】１枚の用紙を２分割し、一方を粘着部、他方を剥離部とし、これを２つ折りして粘着部と剥離部とを重ね合わすことによって両者が一体となったタック紙を造る。【選択図】  図１
2006285159.tif 000002
【特許請求の範囲】
【請求項１】
１枚の用紙をミシン目によって左右に２分割し、左側の部分に粘着剤をコートし、右側の部分には必要に応じてシリコン液等の剥離剤をコートし、この両者を乾燥した後、ミシン目によって２つ折りし、粘着剤部分と剥離剤部分とを重ね合せて強くプレスすることによって同一用紙を２枚重ねの２重構造とし、使用の際には剥離剤部分をミシン目によって切離せば、残りの部分は粘着剤がコートされているので、これを他の物に貼付け可能となることを特徴とする一体型タック紙。
【請求項２】
１枚の用紙を２本のミシン目によって３分割し、この用紙の裏面の中央第２部分に粘着剤を、これに隣接する第３部分には剥離剤をコート・乾燥し、これらをミシン目によって２つ折りして重ね合せて〔請求項目１〕の一体型タック紙とし、残りの第１部分裏面には個人データーを記入した後、第３部分をミシン目によって切離し、第２粘着剤部分を第１部分裏面に重ね合すことによってその上に記載されている個人データーを隠蔽保護することが可能で、しかもその後第２部分を剥離可能とすることを特徴とする個人データー保護を目的とする一体型タック紙。
【発明の詳細な説明】
【技術分野】
【０００１】  本発明の基本は、新しいタック紙の構造と製造方法及びこのタック紙によるドキュメント上の情報保護用ラベル又はシールに関係するものである。
【背景技術】
【０００２】  ラベルやシールに利用されている従来型タック紙は、粘着剤がコートされた粘着用紙の上に予め剥離剤としてのシリコン等をコートした別の用紙を剥離紙とした重ね合せた２体型の用紙である。
従来剥離紙は予め加工した比較的高価なものを利用し、他の用紙の間に粘着剤をコートしながら重ね合せて２体２層のタック紙が製造されている。
この方法は、工程が少なくとも２工程必要とされ、用紙も２種類を必要としその結果製造されるタック紙も高価なものが多く、しかも使用後には剥離紙はゴミとして捨てられ無駄が多い。
【発明の開示】
【発明が解決しようとする課題】
【０００３】  上記のような従来型タック紙の欠点を改良して、予め製造された別の剥離紙を必要とせず、しかも１種類の用紙を用いて、１工程で済む新しく簡単で容易なタック紙の構造及び製造方法を提供しようとするものである。
またこの技術を利用した各種書類に記入された個人データーを保護する為の方法を提供しようとするものである。
【課題を解決しようとする手段】
【０００４】  粘着剤をコートされた粘着紙と剥離剤をコートされた剥離紙とを別々の紙・フィルムとせず、同一媒体の２つの隣接部分に同時に粘着剤と剥離剤をコート・乾燥し、その境界線のミシン目によって２つの部分を折り重ね合わすことによって２層であるが一体型のタック紙を製造する。
また、この一体型タック紙に個人データー等を記入する部分を隣接させたデーター記入、粘着紙、剥離紙の３部分からなる１枚の用紙を用意し、第２、第３部分を重ね合せて上記の一体型タック紙とし、データー記入第１部の上に、第３部分を切離し、第２粘着部分のみを重ね合せることによって第１部分の個人データーを隠してこれを保護する。
【発明の効果】
従来技術に比べ本発明の効果は次の通りである。
【０００５】１．  タック紙を製造する場合、従来の方法とは異なり、２種類の素材を必要とせず、１種類の用紙のみで済む。
２．  １枚の用紙に粘着剤と剥離剤を同時にコートし、２つ折りする仕上げ加工を１工程で可能である。
３．  上記の通り本発明による一体型タック紙は無駄な剥離紙と余計な加工工程を省略することが可能なので、トータルコストを大幅にカットできる。
４．  例えば従来郵便ハガキ上に記入された個人データーを隠して保護しようとするには、予め別に製造された保護ラベルをハガキ上の個人データーの所に貼付する方法が用いられている。
この場合、ハガキとラベルは別々に製造され、とくに後者はコスト高である。これに対し、本発明による一体型タック紙を利用すれば、１枚の用紙のみを用いて１工程で済む所要の低コスト保護ラベル付ハガキが容易に得られる。
５．  一体型タック紙の剥離部分は、もとの用紙の一部分であるから、印刷する場合この部分にも他の部分と同時に必要事項を予め印刷し、剥離後直ちに捨てないで利用できる。
【発明を実施するための最良の形態】
【実施例１】  〔図１、図２〕【０００６】  図１は、用紙１の裏面正面図を示す。用紙１は、その表面を１−１、１−２とし、ミシン目２によって左右に分割され、その裏面をそれぞれ１−１’、１−２’とし、１−１’には粘着剤３を、１−２’には剥離剤４がコートされている。３と４の乾燥後２によって図２のように２つ折りして１−１’と１−２’を２枚重ねにすれば、１枚の一体型タック紙５が完成される。５に於いて剥離部分１−２をミシン目２によって剥がせば、粘着紙１−１が得られ、これはその裏面１−１’の粘着剤３によって他のものに貼付することが出来る。
【実施例２】  〔図３、図４、図５〕【０００７】  これは一体型タック紙を利用して、ドキュメント表面に記載された個人データーを保護する本発明・請求項２の実施例である。図３に於いて１枚の用紙をミシン目２−１、２−２によって３分割し、表面を１−１、１−２、１−３とし、裏面をそれぞれ１−１’、１−２’、１−３’とし、１−２’には粘着剤３を、１−３’には剥離剤４をコート・乾燥させる。
図４のようにミシン目２−２によって２つ折りし、１−２’と１−３’とを重ね合せたドキュメントを用意しておく。次に個人データーを１−１’に記入し、剥離部分１−３’を剥がして、ミシン目２−１によって図５のように１−１’と１−２’を重ね合せれば、１−１’に記入された個人データーは１−２によって保護される。その後必要に応じて粘着されている部分１−２を剥がせば、ドキュメント１−１’の個人データーを読むことができる。
【図面の簡単な説明】
【０００８】
【図１】本発明による一体型タック紙の裏面正面図。
【図２】本発明による一体型タック紙の見取図。
【図３】本発明によるデーター保護ドキュメントの展開された裏面正面図。
【図４】本発明によるデーター保護ドキュメントの裏面正面図。
【図５】本発明によるデーター保護ドキュメントの見取図。
【符号の説明】
【０００９】１                          ：本発明の用紙
１−１、１−２、１−３      ：用紙１の３つの部分表面
１−１’、１−２’、１−３’：用紙１の３つの部分裏面
２、２−１、２−２          ：用紙１を分割するミシン目
３                          ：粘着剤
４                          ：剥離剤
５                          ：一体型タック紙
６                          ：データー保護ドキュメント
【図１】
2006285159.tif 000003
【図２】
2006285159.tif 000004
【図３】
2006285159.tif 000005
【図４】
2006285159.tif 000006
【図５】
2006285159.tif 000007